(57)【要約】  説明する装置および方法は、ＬＡＮとＷＡＮとの間にゲートウェイを与えるためにワイヤレスワイドエリアネットワーク（ＷＷＡＮ）バックホール接続を有するワイヤレスローカルエリアネットワーク（ＷＬＡＮ）アクセスポイントを含む。一例では、アクセスポイントはセルラー電話であり得る。ここで、アクセスポイント中のプロセッサは、複数のアクセス端末がそれぞれＬＡＮにアクセスするために複数のマスターキーの各々を利用し得るように、それらのマスターキーを生成するように構成される。さらに、プロセッサは、アクセス端末のうちの少なくとも１つへのリソースの割当ての制御を可能にするように構成される。【選択図】      図２
2013516911.tif 000002
【特許請求の範囲】
【請求項１】
ワイドエリアネットワークへのバックホール接続を確立するためのワイヤレスワイドエリアネットワークトランシーバと、
ローカルエリアネットワークを確立するためのワイヤレスローカルエリアネットワークトランシーバと、
各アクセス端末が前記ローカルエリアネットワークにアクセスするために複数のマスターキーの各々を利用する、複数のアクセス端末に前記ワイドエリアネットワークへのゲートウェイを与えるために、前記マスターキーを生成するように構成されたプロセッサと
を備える、ワイヤレスローカルエリアネットワークアクセスポイントであって、
前記プロセッサが、前記アクセス端末のうちの少なくとも１つへのリソースの割当ての制御を可能にするようにさらに構成された
ワイヤレスローカルエリアネットワークアクセスポイント。
【請求項２】
リソースの前記割当ての前記制御が、１つまたは複数のファクタに従って前記アクセス端末のうちの前記少なくとも１つに対応するフローの優先度を増加または低下させることを備える、請求項１に記載のワイヤレスローカルエリアネットワークアクセスポイント。
【請求項３】
前記ファクタが、特定のアクセス端末についてのサービス品質または帯域幅要望を備える、請求項２に記載のワイヤレスローカルエリアネットワークアクセスポイント。
【請求項４】
前記ファクタが、前記アクセスポイントにおいて利用可能なエネルギーの量と、特定のアクセス端末からのエネルギーについての要望または要求とを備える、請求項２に記載のワイヤレスローカルエリアネットワークアクセスポイント。
【請求項５】
前記ファクタが、前記アクセスポイントにおいて利用可能な処理ヘッドルームと、特定のアクセス端末からの処理能力についての要望または要求とを備える、請求項２に記載のワイヤレスローカルエリアネットワークアクセスポイント。
【請求項６】
前記ファクタが、特定のアクセス端末に前記ワイドエリアネットワークへのアクセスを許可することによって発生される収入を備える、請求項２に記載のワイヤレスローカルエリアネットワークアクセスポイント。
【請求項７】
前記マスターキーの各々が、前記ワイドエリアネットワークにアクセスするための単一のサービスセット識別子に対応する、請求項１に記載のワイヤレスローカルエリアネットワークアクセスポイント。
【請求項８】
前記マスターキーの各々が、前記ワイドエリアネットワークにアクセスするための複数のサービスセット識別子のうちの１つに対応する、請求項１に記載のワイヤレスローカルエリアネットワークアクセスポイント。
【請求項９】
前記プロセッサに通信可能に結合されたユーザインターフェースをさらに備える、請求項１に記載のワイヤレスローカルエリアネットワークアクセスポイント。
【請求項１０】
前記ユーザインターフェースが、前記アクセス端末の各々に対するアクセス特権の制御を可能にするように構成された、請求項９に記載のワイヤレスローカルエリアネットワークアクセスポイント。
【請求項１１】
前記プロセッサが、前記複数のマスターキーのうちの少なくとも１つを認証するようにさらに構成された、請求項１に記載のワイヤレスローカルエリアネットワークアクセスポイント。
【請求項１２】
サブネットの各々が前記サブネットの各々からファイアウォールされるように、前記ローカルエリアネットワークが複数の前記サブネットに区分される、請求項１に記載のワイヤレスローカルエリアネットワークアクセスポイント。
【請求項１３】
前記マスターキーの各々が前記サブネットのうちの１つに対応する、請求項１２に記載のワイヤレスローカルエリアネットワークアクセスポイント。
【請求項１４】
前記アクセスポイントがセルラー電話である、請求項１に記載のワイヤレスローカルエリアネットワークアクセスポイント。
【請求項１５】
アクセスポイントからワイヤレスワイドエリアネットワークへのバックホール接続を確立することと、
ワイヤレスローカルエリアネットワークトランシーバを利用して前記アクセスポイントからワイヤレスローカルエリアネットワークを確立することと、
各アクセス端末が前記ワイヤレスローカルエリアネットワークにアクセスするために複数のマスターキーの各々を利用する、複数のアクセス端末に前記ワイヤレスワイドエリアネットワークへのゲートウェイを与えるために前記アクセスポイント中で前記マスターキーを生成することと、
前記アクセス端末のうちの少なくとも１つへのリソースの割当てを制御することと
を備える、ワイヤレス通信の方法。
【請求項１６】
リソースの前記割当てを前記制御することが、１つまたは複数のファクタに従って前記アクセス端末のうちの前記少なくとも１つに対応するフローの優先度を増加または低下させることを備える、請求項１５に記載の方法。
【請求項１７】
前記ファクタが、特定のアクセス端末についてのサービス品質または帯域幅要望を備える、請求項１６に記載の方法。
【請求項１８】
前記ファクタが、前記アクセスポイントにおいて利用可能な処理ヘッドルームと、特定のアクセス端末からの処理能力についての要望または要求とを備える、請求項１６に記載の方法。
【請求項１９】
前記ファクタが、特定のアクセス端末に前記ワイヤレスワイドエリアネットワークへのアクセスを許可することによって発生される収入を備える、請求項１６に記載の方法。
【請求項２０】
前記マスターキーの各々が、前記ワイヤレスワイドエリアネットワークにアクセスするための単一のサービスセット識別子に対応する、請求項１５に記載の方法。
【請求項２１】
前記マスターキーの各々が、前記ワイヤレスワイドエリアネットワークにアクセスするための複数のサービスセット識別子のうちの１つに対応する、請求項１５に記載の方法。
【請求項２２】
前記アクセス端末の各々に対するアクセス特権の制御を可能にするために前記アクセスポイント上でユーザインターフェースを利用することをさらに備える、請求項１５に記載の方法。
【請求項２３】
前記複数のマスターキーのうちの少なくとも１つを認証することをさらに備える、請求項１５に記載の方法。
【請求項２４】
サブネットの各々が前記サブネットの各々からファイアウォールされるように、前記ワイヤレスローカルエリアネットワークを複数の前記サブネットに区分することをさらに備える、請求項１５に記載の方法。
【請求項２５】
前記マスターキーの各々が前記サブネットのうちの１つに対応する、請求項２４に記載の方法。
【請求項２６】
前記アクセスポイントがセルラー電話である、請求項１５に記載の方法。
【請求項２７】
アクセスポイントからワイヤレスワイドエリアネットワークへのバックホール接続を確立するための手段と、
ワイヤレスローカルエリアネットワークトランシーバを利用して前記アクセスポイントからワイヤレスローカルエリアネットワークを確立するための手段と、
各アクセス端末が前記ワイヤレスローカルエリアネットワークにアクセスするために複数のマスターキーの各々を利用する、複数のアクセス端末に前記ワイヤレスワイドエリアネットワークへのゲートウェイを与えるために前記アクセスポイント中で前記マスターキーを生成するための手段と、
前記アクセス端末のうちの少なくとも１つへのリソースの割当てを制御するための手段と
を備える、ワイヤレス通信のための装置。
【請求項２８】
リソースの前記割当てを制御するための前記手段が、１つまたは複数のファクタに従って前記アクセス端末のうちの前記少なくとも１つに対応するフローの優先度を増加または低下させるための手段を備える、請求項２７に記載の装置。
【請求項２９】
前記ファクタが、特定のアクセス端末についてのサービス品質または帯域幅要望を備える、請求項２８に記載の装置。
【請求項３０】
前記ファクタが、前記アクセスポイントにおいて利用可能な処理ヘッドルームと、特定のアクセス端末からの処理能力についての要望または要求とを備える、請求項２８に記載の装置。
【請求項３１】
前記ファクタが、特定のアクセス端末に前記ワイヤレスワイドエリアネットワークへのアクセスを許可することによって発生される収入を備える、請求項２８に記載の装置。
【請求項３２】
前記マスターキーの各々が、前記ワイヤレスワイドエリアネットワークにアクセスするための単一のサービスセット識別子に対応する、請求項２７に記載の装置。
【請求項３３】
前記マスターキーの各々が、前記ワイヤレスワイドエリアネットワークにアクセスするための複数のサービスセット識別子のうちの１つに対応する、請求項２７に記載の装置。
【請求項３４】
前記アクセス端末の各々に対するアクセス特権の制御を可能にするためにユーザが前記アクセスポイントとインターフェースすることを可能にするための手段をさらに備える、請求項２７に記載の装置。
【請求項３５】
前記複数のマスターキーのうちの少なくとも１つを認証するための手段をさらに備える、請求項２７に記載の装置。
【請求項３６】
サブネットの各々が前記サブネットの各々からファイアウォールされるように、前記ワイヤレスローカルエリアネットワークを複数の前記サブネットに区分するための手段をさらに備える、請求項２７に記載の装置。
【請求項３７】
前記マスターキーの各々が、前記サブネットのうちの１つに対応する、請求項３６に記載の装置。
【請求項３８】
前記アクセスポイントがセルラー電話である、請求項２７に記載の装置。
【請求項３９】
アクセスポイントからワイヤレスワイドエリアネットワークへのバックホール接続を確立することと、
ワイヤレスローカルエリアネットワークトランシーバを利用して前記アクセスポイントからワイヤレスローカルエリアネットワークを確立することと、
各アクセス端末が前記ワイヤレスローカルエリアネットワークにアクセスするために複数のマスターキーの各々を利用する、複数のアクセス端末に前記ワイヤレスワイドエリアネットワークへのゲートウェイを与えるために前記アクセスポイント中で前記マスターキーを生成することと、
前記アクセス端末のうちの少なくとも１つへのリソースの割当てを制御することと
を行うためのコードを備えるコンピュータ可読媒体
を備える、コンピュータプログラム製品。
【請求項４０】
リソースの前記割当てを制御するための前記コードが、１つまたは複数のファクタに従って前記アクセス端末のうちの前記少なくとも１つに対応するフローの優先度を増加または低下させるためのコードを備える、請求項３９に記載のコンピュータプログラム製品。
【請求項４１】
前記ファクタが、特定のアクセス端末についてのサービス品質または帯域幅要望を備える、請求項４０に記載のコンピュータプログラム製品。
【請求項４２】
前記ファクタが、前記アクセスポイントにおいて利用可能な処理ヘッドルームと、特定のアクセス端末からの処理能力についての要望または要求とを備える、請求項４０に記載のコンピュータプログラム製品。
【請求項４３】
前記ファクタが、特定のアクセス端末に前記ワイヤレスワイドエリアネットワークへのアクセスを許可することによって発生される収入を備える、請求項４０に記載のコンピュータプログラム製品。
【請求項４４】
前記マスターキーの各々が、前記ワイヤレスワイドエリアネットワークにアクセスするための単一のサービスセット識別子に対応する、請求項３９に記載のコンピュータプログラム製品。
【請求項４５】
前記マスターキーの各々が、前記ワイヤレスワイドエリアネットワークにアクセスするための複数のサービスセット識別子のうちの１つに対応する、請求項３９に記載のコンピュータプログラム製品。
【請求項４６】
前記アクセス端末の各々に対するアクセス特権の制御を可能にするためにユーザが前記アクセスポイントとインターフェースすることを可能にするためのコードをさらに備える、請求項３９に記載のコンピュータプログラム製品。
【請求項４７】
前記複数のマスターキーのうちの少なくとも１つを認証するためのコードをさらに備える、請求項３９に記載のコンピュータプログラム製品。
【請求項４８】
サブネットの各々が前記サブネットの各々からファイアウォールされるように、前記ワイヤレスローカルエリアネットワークを複数の前記サブネットに区分するためのコードをさらに備える、請求項３９に記載のコンピュータプログラム製品。
【請求項４９】
前記マスターキーの各々が、前記サブネットのうちの１つに対応する、請求項４８に記載のコンピュータプログラム製品。
【請求項５０】
前記アクセスポイントがセルラー電話である、請求項３９に記載のコンピュータプログラム製品。
【発明の詳細な説明】
【技術分野】
【０００１】
関連出願の相互参照
本出願は、その全体が参照により本明細書に明確に組み込まれる、２０１０年１月６日に出願された「Method and Apparatus for Providing Simultaneous Support for Multiple Master Keys at an Access Point in a Wireless Communication System」と題する米国仮出願第６１／２９２，６６１号の利益を主張する。
【０００２】
本開示は、一般にワイヤレス通信システムに関する。より詳細には、本開示は、ワイヤレス通信システムにおけるアクセスポイントにおいて複数のマスターキーの同時サポートを行うための方法および装置に関する。
【背景技術】
【０００３】
最近、ワイヤレス技術への移行の結果として、ワイヤレス製品が急増している。ほとんど全ての製品にワイヤレスバージョンが存在する。過去１０年間に著しい成長が見られたワイヤレス技術の分野はワイヤレスネットワーキングであり、より具体的には、ワイヤレスローカルエリアネットワーク（ＷＬＡＮ）である。ＷＬＡＮは、さらに普及しつつあり、ほとんどどこでも利用可能である。都市は、都市全域のワイヤレスネットワークを展開しており、企業、家庭、図書館、空港、さらにはコーヒーショップにおいてワイヤレス接続性が利用可能である。ワイヤレスネットワークの恩恵は明白である。ワイヤレスネットワークは極めて便利であり、モビリティおよび効率の向上を可能にする。さらに、ワイヤレスネットワークは、拡大しやすく、展開しやすい。ただし、ワイヤレスネットワークのすべての恩恵にもかかわらず、ＷＬＡＮにはセキュリティの問題が存在する。
【０００４】
ＩＥＥＥ８０２．１１プロトコルはＷＬＡＮの支配的な規格である。ワイヤレスネットワーキング技術が発展するにつれて、ＩＥＥＥ８０２．１１規格は複数回改正された。各改正は、ワイヤレスネットワークの特定の欠点に対処することを目的とする。たとえば、IEEE 802.11-2007 IEEE Standard for Information technology-Telecommunications and information exchange between systems-Local and metropolitan area networks-Specific requirements - Part 11: Wireless LAN Medium Access Control (MAC) and Physical Layer (PHY) Specificationsを参照されたい。これらの改正は、「８０２．１１」に続く文字によって指示され、元の８０２．１１規格に様々な改善をもたらした。８０２．１１ｂ規格と８０２．１１ｇ規格とは、ホームワイヤレスネットワークを実装するために広く使用される２つの変調改正である。８０２．１１ｉ規格は、ワイヤレスネットワークのための様々なセキュリティ機構を実装する８０２．１１規格の改正である。８０２．１１ｉ規格によれば、ＷｉＦｉ（登録商標）  Ｐｒｏｔｅｃｔｅｄ  Ａｃｃｅｓｓ２（ＷＰＡ２）プロトコルは、Ｗｉｒｅｄ  Ｅｑｕｉｖａｌｅｎｔ  Ｐｒｉｖａｃｙ（ＷＥＰ）プロトコルと、ＷｉＦｉ  Ｐｒｏｔｅｃｔｅｄ  Ａｃｃｅｓｓ（ＷＰＡ）プロトコルとを補足した。ＷＰＡは、Ｗｉｒｅｄ  Ｅｑｕｉｖａｌｅｎｔ  Ｐｒｉｖａｃｙ（ＷＥＰ）に勝るソフトウェア／ファームウェアの改善である。ＷＰＡおよびＷＰＡ２は、８〜６３文字のパスフレーズを使用してセキュアなリンクを確立するために、事前共有キー（ＰＳＫ：Pre-shared Shared Key）などのマスターキーを使用し得る。ＰＳＫはまた、６４文字の１６進文字列として入力され得る。
【０００５】
概して、ＷＬＡＮでは、アクセスポイントのカバレージエリア内のワイヤレスデバイスが、互いに通信することが可能であり、また、関連するインフラストラクチャを通して、別のネットワークに結合された他のデバイスと通信することが可能である。たとえば、８０２．１１ベースのアクセスポイントは、ワイヤレス端末（たとえば、アクセス端末）が、アクセスポイントを介して別のネットワーク（たとえば、インターネットなどのワイドエリアネットワーク（ＷＡＮ））と通信すること、またはプリンタ、スキャナ、ストレージデバイスなど、ＷＬＡＮ上の周辺装置と通信することを可能にする接続性を与え得る。
【０００６】
アクセスポイントは、一般に、ＷＬＡＮへのアクセスを与えるただ１つのマスターキーを有するように構成される。このマスターキーは、アクセスポイントを通してＷＬＡＮにアクセスするためにそれを使用するユーザの間で区別せず、マスターキーを使用するあらゆるユーザのためにＷＬＡＮへの自由なアクセスを可能にする。言い換えれば、典型的なアクセスポイントは、各ユーザが単一のマスターキーを使用するとき、異なるユーザに異なるアクセス特権を与えることができない。
【０００７】
したがって、ＷＬＡＮなどのワイヤレス通信システムにおけるアクセスポイントにおいて複数のマスターキーの同時サポートを行うための方法および装置が当技術分野において必要である。
【発明の概要】
【０００８】
ＷＬＡＮアクセスポイントは、ローカルエリアネットワーク（ＬＡＮ）とＷＡＮとの間にゲートウェイを与えるためにワイヤレスワイドエリアネットワーク（ＷＷＡＮ）バックホール（backhaul）接続を含み得る。一例では、アクセスポイントはセルラー電話であり得る。ここで、アクセスポイント中のプロセッサは、複数のアクセス端末がそれぞれＬＡＮにアクセスするために複数のマスターキーの各々を利用し得るように、それらのマスターキーを生成するように構成される。さらに、プロセッサは、アクセス端末のうちの少なくとも１つへのリソースの割当ての制御を可能にするように構成される。
【０００９】
一態様では、本開示は、ＷＡＮへのバックホール接続を確立するためのワイヤレスワイドエリアネットワークトランシーバを含むワイヤレスローカルエリアネットワークアクセスポイントと、ＬＡＮを確立するためのワイヤレスローカルエリアネットワークトランシーバと、各アクセス端末がＬＡＮにアクセスするために複数のマスターキーの各々を利用する、複数のアクセス端末にＷＡＮへのゲートウェイを与えるために、それらのマスターキーを生成するように構成されたプロセッサとを提供する。ここで、プロセッサは、アクセス端末のうちの少なくとも１つへのリソースの割当ての制御を可能にするようにさらに構成され得る。
【００１０】
本開示の別の態様は、アクセスポイントからＷＷＡＮへのバックホール接続を確立することと、ＷＬＡＮトランシーバを利用してアクセスポイントからＷＬＡＮを確立することと、各アクセス端末がＷＬＡＮにアクセスするために複数のマスターキーの各々を利用する、複数のアクセス端末にＷＷＡＮへのゲートウェイを与えるためにアクセスポイント中でそれらのマスターキーを生成することと、アクセス端末のうちの少なくとも１つへのリソースの割当てを制御することとを含むワイヤレス通信の方法を提供する。
【００１１】
本開示のさらに別の態様は、アクセスポイントからワイヤレスワイドエリアネットワークへのバックホール接続を確立するための手段と、ワイヤレスローカルエリアネットワークトランシーバを利用してアクセスポイントからＷＬＡＮを確立するための手段と、各アクセス端末がＷＬＡＮにアクセスするために複数のマスターキーの各々を利用する、複数のアクセス端末にＷＷＡＮへのゲートウェイを与えるためにアクセスポイント中でそれらのマスターキーを生成するための手段と、アクセス端末のうちの少なくとも１つへのリソースの割当てを制御するための手段とを含むワイヤレス通信のための装置を提供する。
【００１２】
本開示のさらに別の態様は、アクセスポイントからＷＷＡＮへのバックホール接続を確立するためのコードと、ワイヤレスローカルエリアネットワークトランシーバを利用してアクセスポイントからＷＬＡＮを確立するためのコードと、各アクセス端末がＷＬＡＮにアクセスするために複数のマスターキーの各々を利用する、複数のアクセス端末にＷＷＡＮへのゲートウェイを与えるためにアクセスポイント中でそれらのマスターキーを生成するためのコードと、アクセス端末のうちの少なくとも１つへのリソースの割当てを制御するためのコードとを有するコンピュータ可読媒体を含むコンピュータプログラム製品を提供する。
【００１３】
添付の図面とともに以下に説明する開示する態様は、開示する態様を限定するためではなく、開示する態様を例示するために与えられ、同様の表示は同様の要素を示す。
【図面の簡単な説明】
【００１４】
【図１】アクセスポイントにおいて複数のマスターキーのサポートを行うことが可能なワイヤレス通信システムの態様を示す図。
【図２】ワイヤレス通信システムにおいて複数のマスターキーのサポートを行うことが可能なアクセスポイントの一例を示す図。
【図３】処理システムを採用する装置のためのハードウェア実装形態の一例を示すブロック図。
【図４】本開示の一態様による、アクセスポイントにおいて複数のマスターキーを利用するための例示的なプロセスを示すフローチャート。
【発明を実施するための形態】
【００１５】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。
【００１６】
本出願で使用する「構成要素」、「モジュール」、「システム」、「装置」などの用語は、限定はしないが、ハードウェア、ファームウェア、ハードウェアとソフトウェアの組合せ、ソフトウェア、または実行中のソフトウェアなど、コンピュータ関係のエンティティを含むものとする。たとえば、構成要素は、プロセッサ上で実行されるプロセス、プロセッサ、オブジェクト、実行可能ファイル、実行スレッド、プログラム、および／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散し得る。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信し得る。
【００１７】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、携帯電話、リモート局、リモート端末、アクセス端末、アクセスポイント、ユーザ端末、通信デバイス、ユーザエージェント、ユーザデバイス、またはユーザ機器（ＵＥ）と呼ばれることもある。アクセス端末、アクセスポイント、リモートアクセス端末、ワイヤレス通信装置、または装置と呼ばれることもあるワイヤレス端末は、セルラー電話、衛星電話、コードレス電話、セッション開始プロトコル（ＳＩＰ：Session Initiation Protocol）電話、ワイヤレスローカルループ（ＷＬＬ：wireless local loop）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、ノードＢ、発展型ノードＢ（ｅＮＢ）、または何らかの他の用語で呼ばれることもある。アクセスサーバは、統合ワイヤレストランシーバまたは周辺ワイヤレストランシーバを介して（１つまたは複数の）ワイヤレス端末と通信するために、あるいはインターネットまたは他のネットワークへのアクセスを与えるために利用され得る。
【００１８】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００１９】
本明細書で説明する技法は、ＩＥＥＥ８０２．１１プロトコルおよび任意の他の同様のワイヤレス通信技法を利用するワイヤレスローカルエリアネットワーク（ＷＬＡＮ）など、様々なワイヤレス通信システムに使用され得る。
【００２０】
いくつかのデバイス、構成要素、モジュールなどを含み得るシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００２１】
さらに、「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。
【００２２】
図１は、ワイヤレス通信システム１００の一例を示すブロック図である。システム１００は、アクセスポイント１０２と、アクセス端末１０４と、アクセス端末１０６と、周辺装置１０８と、基地局１１０とを含み得る。いくつかの実装形態によれば、アクセスポイント１０２は、モバイルフォン、セルラー電話、ラップトップコンピュータ、携帯情報端末デバイス、バックホール、および／またはネットワークへのアクセスを与えるためのＷＷＡＮバックホール通信機能とＷＬＡＮ通信機能とを少なくとも有する任意の他のデバイスなどのためのワイヤレスホットスポットであり得る。すなわち、アクセスポイント１０２は、インターネットなどのネットワークへの接続を確立するために基地局１１０と通信するために、セルラープロトコルなどのワイヤレスエアインターフェースを利用し得る。さらに、いくつかの実装形態によれば、アクセスポイント１０２は、ケーブルモデムまたはＤＳＬ接続を利用する、イーサネット（登録商標）接続などの、ネットワークへのワイヤードバックホールインターフェースをもつＷＬＡＮルータであり得る。アクセスポイント１０２は、オフィスにおいてまたは自宅においてクライアントへのアクセスを与えるためになど、パブリック目的ならびにプライベート目的のために使用され得る。アクセス端末１０４および１０６は、モバイルフォン、セルラー電話、ラップトップコンピュータ、携帯情報端末デバイス、および／またはアクセスポイント１０２と通信するためのＷＬＡＮ通信機能を少なくとももつ任意の他のデバイスなどのワイヤレスデバイスであり得る。さらに、周辺装置１０８は、プリンタ、スキャナ、データストレージデバイスなどの任意の電子デバイスであり得る。周辺装置１０８とアクセスポイント１０２との間に示された接続はワイヤレスであるが、ワイヤレスとワイヤードのどちらもあり得ることに留意されたい。さらに、図１には、ただ１つのアクセスポイント１０２と、２つのアクセス端末１０４および１０６と、２つの周辺装置１０８と、１つの基地局１０６とが示されているが、通信システム１００は、任意の数のアクセスポイントと、アクセス端末と、周辺装置と、基地局とを含み得る。
【００２３】
図２は、アクセスポイント２００の詳細図を示すブロック図である。アクセスポイント２００は、図１に示されたアクセスポイント１０２に対応し得る。図２に示すように、アクセスポイント２００は、たとえば、１つまたは複数の受信アンテナ（図示せず）から信号を受信し、受信信号に対して典型的なアクション（たとえば、フィルタ処理、増幅、ダウンコンバートなど）を実行し、サンプルを取得するために、調整された信号をデジタル化するための１つまたは複数の受信機２０２を含み得る。１つまたは複数の受信機２０２は、ＷＷＡＮ、ＷＬＡＮ、および／またはＷＰＡＮなどの様々なネットワーク内で通信するように構成され得る。ＷＷＡＮトランシーバは、地域、国家、および／または世界の通信規格（たとえば、ｃｄｍａ２０００、３ＧＰＰ  ＵＭＴＳ、３ＧＰＰ  Ｌｏｎｇ  Ｔｅｒｍ  Ｅｖｏｌｕｔｉｏｎ（ＬＴＥ）、ＷｉＭＡＸなど）に準拠する任意のトランシーバであり得、基地局１１０（図１参照）との間でなど、地域、国家、および／または世界のエリアに及ぶ距離にわたって信号を送信および受信するように構成され得る。ＷＬＡＮトランシーバは、中距離通信を可能にする任意の規格（たとえば、８０２．１１ｇ、８０２．１１ｎなど）に準拠する任意のトランシーバであり得、周辺装置１０８ならびにアクセス端末１０４および１０６（図１参照）などのオフィスビル内のデバイスとの間でなど、中間距離にわたって信号を送信および受信するように構成され得る。ＰＡＮトランシーバは、短距離、低電力通信を可能にする任意の規格（たとえば、ＵＷＢ、Ｂｌｕｅｔｏｏｔｈ（登録商標）、ＺｉｇＢｅｅ（登録商標）など）に準拠する任意のトランシーバであり得、互いに極めて近接して位置するデバイスとの間でなど、短距離にわたって信号を送信および受信するように構成され得る。
【００２４】
受信機２０２は、図示のように単一の受信機であり得、または複数の通信プロトコルをサポートするための複数の受信機を含み得る。１つまたは複数の受信機２０２は、各信号から受信シンボルを復調し、それらをプロセッサ２０６に与えるための１つまたは複数の復調器２０４をも含み得る。プロセッサ２０６は、受信機２０２によって受信された情報の分析および／または送信機２１４による送信のための情報の生成に専用のプロセッサ、アクセス端末２００の１つまたは複数の構成要素を制御するプロセッサ、ならびに／あるいは受信機２０２によって受信された情報の分析、送信機２１４による送信のための情報の生成、およびアクセス端末２００の１つまたは複数の構成要素の制御を行うプロセッサであり得る。
【００２５】
アクセスポイント２００はメモリ２０８をさらに含み得、メモリ２０８は、プロセッサ２０６に動作可能に結合され、送信すべきデータ、受信されたデータ、利用可能なチャネルに関係する情報、分析された信号および／または干渉強度に関連するデータ、マスターキーＫＥＹ０〜ＫＥＹｎ、割り当てられたチャネル、電力、レートなどに関係する情報、ならびにチャネルを推定し、そのチャネルを介して通信するための他の適切な情報などのデータを記憶することができる。メモリ２０８は、さらに、（たとえばパフォーマンスベース、容量ベースなど）チャネルの推定および／または利用に関連するプロトコルおよび／またはアルゴリズムを記憶することができる。
【００２６】
本明細書で説明するデータストア（たとえばメモリ２０８）は、揮発性メモリまたは不揮発性メモリとすることができ、あるいは揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。主題のシステムおよび方法のメモリ２０８は、これらおよび他の適切なタイプのメモリを、それらに限定されることなく、備えるものとする。
【００２７】
受信機２０２は、さらに、１つの周波数スペクトル内で複数のアクセス端末が使用する複数のマスターキーを生成するためのコントローラ２１０に動作可能に結合され得る。複数のマスターキーを生成するための命令はメモリ２０８内に記憶され得る。コントローラ２１０は、さらに、メモリ２０８中でのマスターキーの記憶を制御し、図１に関して説明したように、プロセッサ２０６を介して送信機２１４とインターフェースすることによって、アクセス端末、周辺装置、基地局、および他のネットワーク上のデバイスとの通信をダイレクトし得る。送信機２１４は、ＷＡＮ、ＬＡＮ、およびＰＡＮなどの様々なネットワーク内で通信するように構成され得る。送信機２１４は、図示のように単一の送信機であり得、または別個の通信プロトコルごとに複数の送信機を含み得る。
【００２８】
さらに、送信機２１４および受信機２０２は、別個の構成要素として示されているが、トランシーバなどの単一の構成要素に統合され得る。トランシーバは、受信機２０２および送信機２１４の機能のすべてを保持し得、したがって、ＷＡＮ、ＬＡＮ、およびＰＡＮなどの様々なネットワーク内で信号を送信および受信するように構成され得る。トランシーバはまた、マルチプロトコル通信が可能な単一の集積トランシーバであり得、またはそれぞれの通信プロトコルごとに複数の別個のトランシーバを含み得る。たとえば、トランシーバは、高電力トランシーバ（たとえば、ＷＡＮトランシーバおよびＬＡＮトランシーバ）と、低電力トランシーバ（たとえば、ＰＡＮトランシーバ）とを含み得る。
【００２９】
アクセスポイント２００は、またさらに、信号を変調し、送信機２１４を介して、たとえば、アクセス端末、基地局、周辺装置などに送信する変調器２１２を含み得る。プロセッサ２０６とは別個のものとして図示されているが、コントローラ２１０、復調器２０４、および／または変調器２１２はプロセッサ２０６または複数のプロセッサ（図示せず）の一部とすることができることを諒解されたい。さらに、コントローラ２１０の機能は、アプリケーションレイヤ、ドライバ、データスタック、ＨＴＴＰスタック中に、オペレーティングシステム（ＯＳ）レベルで、インターネットブラウザアプリケーション中に、または特定用途向け集積回路（ＡＳＩＣ：application specific integrated circuit）中に統合され得る。
【００３０】
アクセスポイント２００は、またさらに、ユーザがプロセッサ２０６および／またはコントローラ２１０に入力を与えることを可能にするため、ならびにアクセスポイント２００がユーザに情報を与えることを可能にするためのユーザインターフェース２１６を含み得る。
【００３１】
再び図１を参照すると、本開示の一態様では、アクセスポイント１０２は、複数のマスターキー、たとえば、ＫＥＹ０およびＫＥＹ１の同時サポートを行うように構成され得る。一例では、マスターキーは、アクセスポイント１０２とアクセス端末１０４および１０６との間で送信されるデータの暗号化と解読とを可能にする事前共有キー（ＰＳＫ）であり得る。
【００３２】
アクセスポイント１０２は、たとえば、ワイヤレス通信アクセスチャネルを利用する複数のアクセス端末が使用する複数のマスターキーを生成し得る。一例では、アクセスポイント１０２は、周辺装置１０８へのオープンアクセスと、基地局１１０を介したバックホールネットワーク（たとえば、インターネット）へのオープンアクセスとを可能にすることになる第１のマスターキーＫＥＹ０を生成し得る。第１のマスターキーＫＥＹ０に加えて、アクセスポイント１０２は、たとえば、基地局１１０を介したバックホールネットワークのみへの限定されたアクセスを可能にすることになる第２のマスターキーＫＥＹ１を生成し得る。すなわち、アクセスポイント１０２は、複数の別個のセキュアなネットワーク、たとえば、１つは既知のユーザまたはパーソナル周辺装置用のネットワーク、もう１つはアドホックユーザ用のネットワークを与え得る。さらに、２つの異なるマスターキーを有することにより、アクセスポイント１０２のユーザは、第１のマスターキーＫＥＹ０に関連するアクセス特権はそのままで、第２のマスターキーＫＥＹ１に関連するアクセス特権を変更することが可能になり得る。これは、アクセス端末の異なるグループについてのアクセス特権の変更を可能にし得る。
【００３３】
本開示の一態様では、アクセスポイント１０２は、１つまたは複数のサービスセット識別子（ＳＳＩＤ：service set identifier）を利用し得る。ＳＳＩＤは、ＳＳＩＤが範囲内のアクセス端末に可視であるようにブロードキャストされ得るか、または範囲内のアクセス端末が、アクセスポイント１０２との通信を可能にするためにＳＳＩＤの事前知識を有する必要があることになるようにブロードキャストされ得ない。いくつかの態様では、アクセスポイント１０２によって利用される単一のＳＳＩＤは、アクセス端末がネットワークにアクセスするための複数の所定のマスターキーのうちのいずれかを与えるときに、バックホールネットワークへのアクセスを可能にし得る。すなわち、単一のＳＳＩＤに対応するネットワークは、複数の許容できるマスターキーのうちのいずれかを与えることによってアクセスされ得る。ここで、複数のマスターキーは、アクセスポイント１０２中のメモリ中にリストとして記憶され得、アクセスポイント１０２にアクセスしようと試みるアクセス端末によって与えられたアクセスキーは、アクセス端末によって与えられたアクセスキーがマスターキーのリスト中のエントリのうちのいずれかに一致した場合に受け付けられることになるように、たとえば、論理「ＯＲ」方式でメモリ中のマスターキーと比較されることになる。いくつかの態様では、アクセスポイント１０２のためのバックホールネットワークにアクセスするために複数のＳＳＩＤが使用され得、異なるマスターキーは複数のＳＳＩＤの各々に対応する。他の態様では、本質的に任意の数のＳＳＩＤは、バックホールネットワークにアクセスするための、本質的に任意の数のマスターキーに対応し得る。
【００３４】
本開示のさらなる態様では、アクセスポイント１０２のユーザは、マスターキーのうちの１つまたは複数、たとえば、ＫＥＹ０およびＫＥＹ１に関連するアクセス特権を変更するために、ならびに他の異なるアクセス特権をもつ追加のマスターキー（たとえば、ＫＥＹｎまで）を生成するためにＵＩ２１６（図２参照）を利用し得る。本開示のまたさらなる態様では、ＵＩ２１６は、ユーザが、それぞれのマスターキーの各々に関連付けられたデータフローの優先度またはサービス品質ＱｏＳを調整することを可能にし得る。たとえば、ユーザは、第２のマスターキーＫＥＹ１を使用するすべてのアクセス端末によって使用される帯域幅を限定するようにアクセスポイント２００を構成し得る。さらに、ユーザは、他のキーのうちの少なくとも１つ、たとえば、ＫＥＹ１に関連付けられたアクセス端末に勝る優先度をもつ、特定のキー、たとえば、ＫＥＹ０を利用するアクセス端末に関連付けられたフローを許可するためにアクセスポイント２００を変更し得る。さらなる一例では、マスターキーのうちの特定の１つに関連付けられたフローは、フローのうちの別の１つが高優先度情報を搬送していると判断されたときなど、必要に応じて優先度を解除され得る。たとえば、アクセスポイントの所有者がアドホックユーザにアクセスを販売している場合、アクセスポイントの所有者は、アドホックネットワークマスターキーを利用するユーザに関連付けられたフローにより高い優先度を許可することを望み得る。別の例では、アクセスポイントの所有者は、バックホールネットワークへのアクセスを共有することを望み得るが、高優先度ボイスまたはビデオ会議呼など、特に重要な機能を実行するときは、１次ユーザに関連付けられたフローが妨げられずに続くことができるように、アドホックユーザに関連付けられたフローの優先度を解除し得る。
【００３５】
本開示の一態様では、アクセス端末の各々に対するアクセス特権は、１つまたは複数のファクタに対応したアクセス端末の各々へのリソースの自動割当てを含み得る。すなわち、アクセスポイント１０２中のプロセッサまたはコントローラは、いくつかのファクタに対応して、特定のアクセス端末に対応する、または特定のサブネットを利用する特定のクライアントグループに対応する優先度またはサービス品質の判断を行い得る。リソースの割当ての判断を行う際に検討され得るファクタの一部は、バックホールネットワーク上のリソースまたは帯域幅の量および特定のアクセス端末からの一定の帯域幅量またはサービス品質についての要望（demand）、アクセスポイント１０２において利用可能なエネルギーおよび特定のアクセス端末またはクライアントグループからのエネルギーについての要望または要求（requests）、アクセスポイント１０２中で利用可能な処理ヘッドルームおよび特定のアクセス端末またはクライアントグループからの処理能力についての要望または要求、あるいは特定のアクセス端末またはクライアントグループにバックホールネットワークへのアクセスを許可することによって発生される収入（revenue）を含み得る。たとえば、あるアクセス端末がビデオ会議などのビデオアプリケーションを実行していると仮定する。ここで、ビデオコンテンツのアップロードは、アクセスポイントにおいて利用可能な利用可能エネルギーのかなりの部分を必要とすることになるエネルギー大量消費型アプリケーションであり得る。さらに、ビデオは、符号化または圧縮のための処理能力を必要とし得、アクセスポイントにおいて利用可能な処理能力のかなりの量を利用する。これらおよび他のファクタは、たとえば、他のアクセス端末から追加のリソースを制限しながら、その特定のアクセスポイントにそれらのリソースを許可するための判断において検討され得る。しかしながら、アクセス端末のうちの別の１つが支払いユーザである場合、アクセスポイントは、第１のアクセス端末からのビデオセッションを場合によっては減速または防止しながら、支払いユーザにより良いサービスを提供するために、このファクタに基づいてそれの決定を改変し得る。
【００３６】
従来のアクセスポイントでは、アクセス端末にバックホールネットワークへのアクセスが許可された場合、許可されたユーザは、バックホールネットワークへのアクセスのためにアクセスポイントを利用して他のユーザにアクセスすることが可能であり得る。これは、アドホックユーザが信用できるユーザでないときには望ましくないことがある。したがって、本開示のさらなる態様では、アクセスポイント１０２はまた、バックホールネットワークにアクセスするためにアクセスポイント１０２を利用する１つまたは複数のアクセス端末のグループ間にファイアウォールを与えるように構成され得る。したがって、アクセスポイント１０２は、各クライアントグループが１つまたは複数のアクセス端末から構成される、複数のクライアントグループを同時にサポートするように構成され得る。クライアントグループは、別個のネットワークまたは単一のネットワークのサブネットと見なされ得る。一例では、アクセスポイント１０２は、第１のワイヤレスクライアントネットワークグループへのアクセスを与えるように第１のマスターキーＫＥＹ０を構成し得る。ここで、第１のマスターキーＫＥＹ０を利用するすべてのクライアントは、セッション確立のためのペアワイズマスターキー（ＰＭＫ：pairwise master key）として第１のマスターキーＫＥＹ０を使用して第１のワイヤレスクライアントネットワークグループにアクセスすることが可能であり得る。アクセスポイント１０２はまた、第２のワイヤレスクライアントネットワークグループへのアクセスを与えるように第２のマスターキーＫＥＹ１を構成し得る。第２のマスターキーＫＥＹ１を有するすべてのクライアントは、セッション確立のためのＰＭＫとして第２のマスターキーＫＥＹ１を使用して第２のワイヤレスクライアントグループにアクセスすることが可能であり得る。アクセスポイント１０２は、第１のマスターキーＫＥＹ０または第２のマスターキーＫＥＹ１のいずれかを使用してバックホールネットワークへのアクセスを可能にするように変更され得る。アクセスポイント１０２は、追加のマスターキー、たとえば、ＫＥＹｎまでを使用してバックホールネットワークへのアクセスを可能にするように変更され得る。さらに、アクセスポイント１０２は、マスターキーのいずれももたない他のクライアントが代替のアクセス可能化機構によってアクセスポイント１０２への接続性を要求することを可能にし得る。そのようなアクセス可能化機構は、たとえば、クライアントからアクセスポイント１０２への対称セッション鍵を提案するメッセージを含み得、このメッセージは、アクセスポイント１０２に関連付けられた公開鍵で暗号化される。したがって、アクセスポイント１０２は、クライアントの複数のグループを使用可能にし得、各グループは、異なるアクセス可能化機構を使用してアクセスポイント１０２に接続し得る。
【００３７】
もちろん、クライアントグループの一部は、アクセスポイント１０２の所有者が、信頼できないアドホックユーザのアクセス端末でも、アクセス端末がアクセスすることを可能にすることを望み得る、プリンタなどのデバイスを含み得る。したがって、クライアントグループ間のファイアウォールをアクセスポイント１０２が管理することが可能になるので、公開されているマスターキーを使用するアドホックユーザは、アクセスポイント１０２によって利用可能にされたＷＬＡＮを利用する１つまたは複数のクライアントデバイスにアクセスすることが可能になり得る。
【００３８】
図３は、処理システム３１４を採用する装置３００のためのハードウェア実装形態の一例を示すブロック図である。この例では、処理システム３１４は、バス３０２によって概略的に表されるバスアーキテクチャを用いて実装され得る。バス３０２は、処理システム３１４の特定の適用例および全体的な設計制約に応じて、任意の数の相互接続バスおよびブリッジを含み得る。バス３０２は、プロセッサ３０４によって概略的に表される１つまたは複数のプロセッサと、コンピュータ可読媒体３０６によって概略的に表されるコンピュータ可読媒体とを含む様々な回路を互いにリンクする。バス３０２は、タイミングソース、周辺機器、電圧調整器、および電力管理回路など、様々な他の回路をリンクし得るが、これらの回路は当技術分野においてよく知られており、したがって、これ以上説明しない。バスインターフェース３０８は、バス３０２とトランシーバ３１０との間のインターフェースを与える。トランシーバ３１０は、伝送媒体上で様々な他の装置と通信するための手段を与える。装置の性質に応じて、ユーザインターフェース３１２（たとえば、キーパッド、ディスプレイ、スピーカ、マイクロホン、ジョイスティック）も与えられ得る。
【００３９】
プロセッサ３０４は、バス３０２を管理することと、コンピュータ可読媒体３０６に記憶されたソフトウェアの実行を含む一般的な処理とを担当する。ソフトウェアは、プロセッサ３０４によって実行されたとき、処理システム３１４に、特定の装置のための以下で説明する様々な機能を実行させる。コンピュータ可読媒体３０６はまた、ソフトウェアを実行するときにプロセッサ３０４によって操作されるデータを記憶するために使用され得る。
【００４０】
一構成では、ワイヤレス通信のための装置２００（再び図２参照）は、アクセスポイントからワイヤレスワイドエリアネットワークへのバックホール接続を確立するための手段と、ワイヤレスローカルエリアネットワークトランシーバを利用してアクセスポイントからワイヤレスローカルエリアネットワークを確立するための手段と、各アクセス端末がワイヤレスローカルエリアネットワークにアクセスするために複数のマスターキーの各々を利用する、複数のアクセス端末にワイヤレスワイドエリアネットワークへのゲートウェイを与えるためにアクセスポイント中でそれらのマスターキーを生成するための手段と、アクセス端末のうちの少なくとも１つへのリソースの割当てを制御するための手段とを含む得る。一態様では、上述の手段は、上述の手段によって具陳される機能を実行するように構成された（１つまたは複数の）プロセッサ２０６、コントローラ２１０、送信機２１４、受信機２０２、ユーザインターフェース２１６、および／またはメモリ２０８であり得る。別の態様では、上述の手段は、上述の手段によって具陳される機能を実行するように構成されたモジュールまたは任意の装置であり得る。
【００４１】
図４は、本開示の一態様によるアクセスポイントにおいて複数のマスターキーを利用する例示的なプロセスを示すフローチャートである。様々な代表的な態様では、プロセスは、図１に示すアクセスポイント１０２または図２に示すアクセスポイント２００によって実行され得る。いくつかの態様では、プロセスは、図３に示す処理システム３１４によって実行され得る。
【００４２】
ステップ４０２において、アクセスポイントは、ＷＷＡＮへのバックホール接続を確立する。たとえば、アクセスポイントは、接続を確立し、対応するワイヤレスネットワークへのリソースを利用するために、任意の好適なセルラー無線エアインターフェース技術を利用し得る。ブロック４０４において、アクセスポイントはＷＬＡＮを確立する。たとえば、アクセスポイントは、８０２．１１規格エアインターフェースを利用するローカルエリアネットワークを与えるためにリソースをセットアップし得る。ブロック４０６において、プロセスは、ＷＬＡＮを複数のサブネットに区分する。ここで、サブネットの各々は、サブネットの各々からファイアウォールされ得る。
【００４３】
ブロック４０８において、アクセスポイントは、アクセス端末の各々がワイヤレスローカルエリアネットワークにアクセスするために複数のマスターキーの各々を利用する、複数のアクセス端末にワイヤレスワイドエリアネットワークへのゲートウェイを与えることなどのためにそれらのマスターキーを生成する。
【００４４】
ブロック４１０において、アクセスポイントは、複数のマスターキーを認証する。たとえば、アクセス端末がアクセスポイントにマスターキーのうちの１つを送る場合、アクセスポイントは、受信されたマスターキーをバックホールネットワークへのアクセスを許可されるマスターキーのテーブルと比較し得る。認証時に、アクセスポイントは、アクセス端末がワイヤレスローカルエリアネットワーク経由でバックホールネットワークにアクセスするためにアクセスポイントを通してゲートウェイを利用することを可能にし得る。
【００４５】
ブロック４１２において、アクセスポイントは、たとえば、１つまたは複数のファクタに従ってアクセス端末に対応するフローの優先度を増加または低下させることによって、アクセス端末の少なくとも１つへのリソースの割当てを制御する。ここで、ファクタは、特定のアクセス端末についてのサービス品質または帯域幅要望、アクセスポイントにおいて利用可能なエネルギー量および特定のアクセス端末からのエネルギーについての要望または要求、アクセスポイントにおいて利用可能な処理ヘッドルームおよび特定のアクセス端末からの処理能力についての要望または要求、ならびに／または特定のアクセス端末にＷＷＡＮへのアクセスを許可することによって発生される収入を含み得る。
【００４６】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械（state machine）であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションの１つまたは複数を実行するように動作可能な１つまたは複数のモジュールを備え得る。
【００４７】
さらに、本明細書で開示された態様に関して説明した方法またはアルゴリズムのステップおよび／またはアクションは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末内に個別構成要素として常駐し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【００４８】
１つまたは複数の態様では、説明した機能は、ハードウェア、ソフトウェア、ファームウェア、またはそれらの組合せで実装され得る。ソフトウェアで実装する場合、機能は、１つまたは複数の命令またはコードとしてコンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００４９】
さらに、本開示では、ＷＷＡＮへのバックホール接続を可能にする電気通信システムのいくつかの態様を提示した。当業者なら容易に諒解するように、本開示全体にわたって説明した様々な態様が、様々な電気通信システム、ネットワークアーキテクチャ、および通信規格のうちのいずれか１つに拡張され得る。例として、様々な態様は、ＴＤ−ＳＣＤＭＡ、高速ダウンリンクパケットアクセス（ＨＳＤＰＡ：High Speed Downlink Packet Access）、高速アップリンクパケットアクセス（ＨＳＵＰＡ：High Speed Uplink Packet Access）、高速パケットアクセスプラス（ＨＳＰＡ＋：High Speed Packet Access Plus）およびＴＤ−ＣＤＭＡなどのＵＭＴＳシステムを利用し得る。様々な態様はまた、（ＦＤＤ、ＴＤＤ、または両モードでの）Ｌｏｎｇ  Ｔｅｒｍ  Ｅｖｏｌｕｔｉｏｎ（ＬＴＥ）、（ＦＤＤ、ＴＤＤ、または両モードでの）ＬＴＥ−Ａｄｖａｎｃｅｄ（ＬＴＥ−Ａ）、ＣＤＭＡ２０００、Ｅｖｏｌｕｔｉｏｎ−Ｄａｔａ  Ｏｐｔｉｍｉｚｅｄ（ＥＶ−ＤＯ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｕｌｔｒａ  Ｗｉｄｅｂａｎｄ（ＵＷＢ）、Ｂｌｕｅｔｏｏｔｈ（登録商標）、および／または他の好適なシステムを採用するシステムを利用し得る。採用される実際の電気通信規格、ネットワークアーキテクチャ、および／または通信規格は、特定の適用例およびシステムに課せられる全体的な設計制約に依存することになる。
【００５０】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。
【図１】
2013516911.tif 000003
【図２】
2013516911.tif 000004
【図３】
2013516911.tif 000005
【図４】
2013516911.tif 000006
【手続補正書】
【提出日】平成24年11月29日(2012.11.29)
【手続補正１】
【補正対象書類名】明細書
【補正対象項目名】００４２
【補正方法】変更
【補正の内容】
【００４２】
ステップ４０２において、アクセスポイントは、ＷＷＡＮへのバックホール接続を確立する。たとえば、アクセスポイントは、接続を確立し、対応するワイヤレスネットワークへのリソースを利用するために、任意の好適なセルラー無線エアインターフェース技術を利用し得る。ブロック４０４において、アクセスポイントはＷＬＡＮを確立する。たとえば、アクセスポイントは、８０２．１１規格エアインターフェースを利用するローカルエリアネットワークを与えるためにリソースをセットアップし得る。ブロック４０６において、プロセスは、ＷＬＡＮを複数のサブネットに区分する。ここで、サブネットの各々は、他のサブネットの各々からファイアウォールされ得る。
【国際調査報告】
2013516911.tif 000007
2013516911.tif 000008
2013516911.tif 000009
2013516911.tif 000010
2013516911.tif 000011